(57)【要約】      （修正有）【課題】空気と水から成るマッサージ様の流れを生成するための衛生槽用機器を提供する。【解決手段】衛生槽１の槽本体４の開口部３に駆動軸７を持つ電気モーター６の取付器具５、該駆動軸７に取り付けられたハブ９の周りに半径方向に配備されたブレード１０を有するプロペラ８、該衛生槽１内に配置され、取付器具５に配備され、周縁側の流入用開口部１２と中央の流出用開口部１３を持つロゼット１１を有する。該プロペラ８は、流入用開口部１２を通して、衛生槽１内の水を引き込み、流出用開口部１３を通して衛生槽１に戻す。取付器具５は、空気１５を取り込む流路１４を有し、この空気は、ハブ９内のた空気通路１６を通し、プロペラ８により送り戻される水の流れ２９とともに、この流出用開口部１３を通って出て行く。空気を送るファン羽根１８が、ブ９の空気通路１６内に配備される。【選択図】図１
2005312910.tif 000002
【特許請求の範囲】
【請求項１】
空気と水から成るマッサージ様の流れ（２）を生成するための衛生槽（１）用機器であって、この機器は、
衛生槽（１）の槽本体（４）の開口部（３）に取り付け可能な、駆動軸（７）を持つ電気モーター（６）を取り付けるための取付器具（５）と、
この駆動軸（７）に取り付けられたハブ（９）とこのハブ（９）の周りに半径方向に配備されたブレード（１０）を有するプロペラ（８）と、
この衛生槽（１）内に配置され、この取付器具（５）上に配備された、周縁側にある流入用開口部（１２）と中央にある流出用開口部（１３）を持つロゼット（１１）とを有し、
その際、このプロペラ（８）は、この流入用開口部（１２）を通して、衛生槽（１）内にある水を引き込んで、その後この流出用開口部（１３）を通して、この水を衛生槽（１）に送り戻し、その際この取付器具（５）は、空気（１５）を取り込むための流路（１４）を有し、この空気は、このハブ（９）内に配備された空気の通路（１６）を通して、そして、このプロペラ（８）によって送り戻される水の流れ（２９）とともに、この流出用開口部（１３）を通って出て行く機器において、
空気を送るためのファン羽根（１８）が、このハブ（９）の空気の通路（１６）内に配備されていることを特徴とする機器。
【請求項２】
当該の空気の通路（１６）が、リング形状であり、ハブの軸（ｘ）と同心となる形に構成されていることを特徴とする請求項１に記載の機器。
【請求項３】
当該のプロペラ（８）が、一体の射出成型されたプラスチックの部品として構成されていることを特徴とする請求項１または２に記載の機器。
【請求項４】
当該の流路（１４）の空気流入用開口部（１９）の前に、逆流防止器（２０）が配備されており、その上流に、空気流入栓（２１）が接続されていることを特徴とする請求項１から３までのいずれか一つに記載の機器。
【請求項５】
当該の空気の供給は、作動部材と接続されたバルブを用いて、または別の回転ノブを用いて、任意に開閉することができることを特徴とする請求項１から４までのいずれか一つに記載の機器。
【請求項６】
当該の流出用開口部（１３）に、羽根リング（２２）が配備されていることを特徴とする請求項１から５までのいずれか一つに記載の機器。
【請求項７】
当該の羽根リング（２２）が、中央に通路開口部（２４）を持つ内部リング（２３）を有し、この内部リングの外側に、羽根（２５）が形成されていることを特徴とする請求項６に記載の機器。
【請求項８】
当該の内部リング（２３）の内側に、流れ誘導部材（２６）が配備されていることを特徴とする請求項７に記載の機器。
【請求項９】
当該の羽根リング（２２）が、ハブの軸（ｘ）の周りに相対的に旋回可能な形で配備されていることを特徴とする請求項６から８までのいずれか一つに記載の機器。
【発明の詳細な説明】
【技術分野】
【０００１】
この発明は、空気と水から成るマッサージ様の流れを生成するための衛生槽用機器に関し、この機器は、
衛生槽の槽本体の開口部に取り付け可能な、駆動軸を持つ電気モーターを取り付けるための取付器具と、
この駆動軸に取り付けられたハブとこのハブの周りに半径方向に配備されたブレードを持つプロペラと、
この取付器具上に配備され、この衛生槽内に配置された、周縁側にある流入用開口部と中央にある流出用開口部を持つロゼットとを有し、
その際、このプロペラは、この流入用開口部を通して、衛生槽内にある水を引き込んで、その後この流出用開口部を通して、この引き込んだ水を衛生槽に送り戻し、その際この取付器具は、空気を取り入れるための流路を有し、この空気は、このハブ内に配備された空気の通路を通して、そして、このプロペラによって送り戻される水の流れとともに、この流出用開口部を通って出て行く。
【背景技術】
【０００２】
初めに述べた特徴を持つ機器は、特許文献１により周知である。この周知の機器の場合、駆動軸とハブは、空気の流れを取り入れるための軸方向の穴を有する。供給された空気の流れは、ベル形状の誘導部材内で、流入用開口部を介して引き込まれた水の流れと混ざる。空気の流れを引き込むために、ベンチュリ効果を利用しており、この効果は、プロペラのブレードによる水の加速と、それに伴うハブ領域における局所的な圧力低下とから生起されるものである。従って、空気の供給は、プロペラのハブにおける局所的に低下した圧力の程度によって制限されることとなる。
【特許文献１】ドイツ特許第１９８３４３４１号明細書
【発明の開示】
【発明が解決しようとする課題】
【０００３】
この発明の課題は、初めに述べた特徴を持ち、周囲の空気の供給を改良したことを特徴とする機器を提示することを基礎とする。
【課題を解決するための手段】
【０００４】
この課題は、この発明にもとづき、空気を送るファン羽根をハブの空気の通路内に配備することにより達成される。この発明によると、この空気の通路は、プロペラの回転を用いて、周囲から引き込んだ空気の体積流を増大させることとなるファン機能を実現するものである。この空気の通路は、好ましくはリング形状であり、ハブの軸と同心となる形に構成される。この空気の通路のリング状構造により、衛生槽に通す水の流れの中に、引き込んだ空気を非常に細かく分散させることが可能となる。更に、このファン羽根によって生成された空気の流れの捻りは、空気と水を激しく混ぜることにも寄与する。好ましくは、このプロペラは、プラスチックから成る一体の射出成形された部品として構成され、それは、製造技術に関して、僅かな作業で製造することができるものである。
【０００５】
流路の空気流入用開口部の前に、逆流防止器を配備することができ、その上流に、空気の流入栓が接続されている。この空気の供給は、作動部材と接続されたバルブを用いて、または別の回転ノブを用いて、任意に開閉することができる。
【０００６】
この発明の特に好ましい実施形態においては、羽根リングは、流出用開口部内に配備される。この羽根リングは、中央に通路開口部を持つ内部リングを有することができ、この内部リングの外側に羽根が配備されている。この内部リングの内側に、流れ誘導部材を配備するのは有用であり、この部材は、通路開口部を通過する際の流れの矯正に寄与するものである。この羽根リングは、このリングがハブの軸の周りに相対的に旋回可能な形で配備することができる。この方法により、空気／水の流れを、それが浴槽に流れる際に、所望の方向に誘導することができる。この羽根リングが、取付器具上に配備された球面部分とともにボールジョイントを構成するリング形状の軸受け皿を有するのは有用である。同時に、この羽根リングは、その端部をロゼットの衛生槽壁に面する側で支持している。旋回位置は、羽根リングを押圧することによって変えることができ、そうすることによって羽根リングは、その弾力性のある挙動のために、所望の位置に留まる。
【発明を実施するための最良の形態】
【０００７】
以下において、単に例としての役割を果たす実施形態を用いて、この発明をより詳しく説明する。
【０００８】
図１と２は、空気と水から成るマッサージ様の流れ２を生成するための衛生槽１用機器を図示しており、この機器は、衛生槽１の槽本体４の開口部３に取り付け可能な、駆動軸７を持つ電気モーター６を取り付けるための取付器具５と、この駆動軸７に覆い被せる形で取り付けられたハブ９とこのハブ９の周りに半径方向に配備されたブレード１０を持つプロペラ８と、この衛生槽１内に配置され、この取付器具５上に配備された、周縁側にある流入用開口部１２と中央にある流出用開口部１３を持つロゼット１１とを有する。ロゼット１１は、二つの部分で構成され、この流入用開口部１２を持つ外部リング３４と、この流出用開口部１３を持つ取付リング３５とを有し、この取付リングは、この外部リング３４と接続されている。プロペラ８は、流入用開口部１２を通して、衛生槽１内にある水を引き込んで、その後この水を、流出用開口部１３を通して、衛生槽１に送り戻す。取付器具５は、空気１５を取り込むための流路１４を有し、この空気は、ハブ９内に配備された空気の通路１６を通して、およびプロペラ８によって送られる水の流れ２９とともに、流出用開口部１３を通って出て行く。更に、この取付器具５は、複数の部品で構成され、流路１４を持つモーターホルダー３２と、このモーターホルダー３２と接続された、槽本体４に取り付け可能な終端プレート３３とを有する。空気を送るためのファン羽根１８は、ハブ９の空気の通路１６内に配備されている。更に、取付器具５は、ロゼット１１の取付リング３５を取り付けるためのねじ切り３０と、引き込まれた水の流れ２９を誘導するための流れの空間３１とを有する。空気の通路１６は、リング形状であり、ハブの軸ｘと同心となる形に構成されている。実施例では、プロペラは、プラスチックから成る一体の射出成形された部品として構成されており、駆動軸７にねじ込まれている。図１，２および３ａから明らかなとおり、羽根形状のリッジ部１８が配備されており、これは、同時に空気の通路１６の外側と内側の壁との間隔を規定している。このリッジ部１８は、流れの方向に対して非曲面を持つ形で、純粋に軸の方向に向かって徐々に移行して行く。流路１４の空気流入用開口部１９の前には、逆流防止器２０が配備されており、その上流には、空気流入栓２１が接続されている。空気の供給は、（図示されていない）作動部材と接続されたバルブを用いて、または別の回転ノブを用いて、任意に開閉することができる。
【０００９】
更に、図１と２から、羽根リング２２が、流出用開口部１３内に配備されているのが分かる。この羽根リング２２は、中央に通路開口部２４を持つ内部リング２３を有し、そのリングの外側に羽根２５が形成されている（図４ａを参照）。この内部リング２３の内側には、流れ誘導部材２６が形成されており、この部材は、通路開口部２４内の流れを、羽根リング２２の軸ｙに対して平行な方向に誘導するものである。図１と２を比較すると、ハブの軸ｘの周りに相対的に旋回可能な形で、羽根リング２２が配備されているのが分かる。この羽根リング２２は、取付器具５上に配備された球面部分２８とともにボールジョイントを構成するリング形状の軸受け皿２７を有する（図４ｂを参照）。この軸受け皿２７は、羽根２５の外側の端部上に配備されている。同時に、この羽根リング２２は、その端部を、取付リング３５の浴槽壁に面する側で支持している。旋回位置は、羽根リング２２を押圧することにより変えることができ、そうすることによって羽根リング２２は、その弾力性のある挙動のために、所望の位置に留まる。
【図面の簡単な説明】
【００１０】
【図１】プロペラと羽根リングを有する、この発明による機器の立体的な断面図
【図２】図１の機器で、羽根リングを旋回させた状態での立体的な断面図
【図３ａ】図１と２で図示したプロペラの正面図
【図３ｂ】図１と２で図示したプロペラの側面図
【図４ａ】図１と２で図示した羽根リングの正面図
【図４ｂ】図１と２で図示した羽根リングの側面図
【符号の説明】
【００１１】
１    衛生槽
２    マッサージ様の流れ
３    槽本体４の開口部
４    槽本体
５    取付器具
６    電気モーター
７    電気モーター６の駆動軸
８    プロペラ
９    ハブ
１０    ブレード
１１    ロゼット
１２    流入用開口部
１３    流出用開口部
１４    流路
１５    空気
１６    空気の通路
１８    羽根形状のリッジ部（ファン羽根）
１９    空気の流入用開口部
２０    逆流防止器
２１    空気流入栓
２２    羽根リング
２３    内部リング
２４    通路開口部
２５    羽根
２６    流れ誘導部材
２７    軸受け皿
２８    球面部分
２９    水の流れ
３０    ねじ切り
３１    流れの空間
３２    モーターホルダー
３３    終端プレート
３４    外部リング
３５    取付リング
ｘ    ハブ９の軸
ｙ    羽根リング２２の軸
【図１】
2005312910.tif 000003
【図２】
2005312910.tif 000004
【図３ａ】
2005312910.tif 000005
【図３ｂ】
2005312910.tif 000006
【図４ａ】
2005312910.tif 000007
【図４ｂ】
2005312910.tif 000008